(57)【要約】【課題】低コストで製作することができ、既設の電気機器収納用箱体でも容易に取り付けることができ、また、作業のしやすい高さに取り付けることができて係止の解除操作性が良い扉ストッパ装置を提供する。【解決手段】扉ストッパ装置５は、蝶番ピン４３に設けられて扉体３に連動して回動し、箱体側蝶番４１の連結板部４１ａに係止する係止溝５１ｄを形成したストッパ５１と、ストッパ５１を係止方向に付勢してストッパ５１を連結板部４１ａに押圧するコイルバネ５２とで成り、扉体３を所定角度開放するとコイルバネ５２の付勢力によりストッパ５１の係止溝５１ｄが連結板部４１ａに係止して扉体３を開放状態に保持する。【選択図】図４
2009275360.tif 000002
【特許請求の範囲】
【請求項１】
前面に開口部を有する箱体本体と、該箱体本体の前記開口部を施蓋する扉体と、前記箱体本体の前記開口部の端縁に設けた箱体側蝶番と該箱体側蝶番と対向する扉体の端縁に設けた扉体側蝶番とに蝶番ピンを挿通して前記箱体本体に前記扉体を開閉自在にする蝶番とで成る電気機器収納用箱体の前記扉体を開放状態に保持する電気機器収納用箱体の扉ストッパ装置において、前記蝶番ピンに設けられて前記扉体の開閉動作に連動して回動し、箱体側蝶番の連結板部に係止する係止溝を形成したストッパと、該ストッパを係止方向に付勢する弾性体とで成り、前記扉体を所定角度開放した位置で前記弾性体の付勢力により前記ストッパの係止溝が前記箱体側蝶番の連結板部に係止して前記扉体を開放状態に保持することを特徴とする電気機器収納用箱体の扉ストッパ装置。
【発明の詳細な説明】
【技術分野】
【０００１】
本発明は、分電盤や制御盤等に用いられる電気機器収納用箱体の扉体を開放状態に保持する扉ストッパに関する。
【背景技術】
【０００２】
分電盤や制御盤等に用いられる電気機器収納用箱体は、配線や点検、改修の際に扉体を開放した状態で作業が行われるため、扉体を開放状態に保持する扉ストッパ装置を備えたものがある。この扉ストッパ装置は、箱体本体の下端に設けられた固定部材にアームの一端が枢支され、扉体の下端に設けられたガイド板の長孔にアームの他端が挿通されてスライド可能に設けられ、扉体を所定角度開放した際にアームの他端がガイド下板の係止孔に係止したり、アームに設けられた係止片がガイド板から離脱して係止部に係止することで扉体を開放状態に保持するようになっていた（例えば、特許文献１、特許文献２参照。）。
【０００３】
【特許文献１】特開２００５−３１４９７４号公報
【特許文献２】実開平７−３９２０２号公報
【発明の開示】
【発明が解決しようとする課題】
【０００４】
このように、従来の扉ストッパ装置は固定部材、アーム、ガイド板など構成するための部品点数が多いのでコストが高く、また、固定部材、ガイド板は溶接して取り付けられるため既設の電気機器収納用箱体には取り付けることができなかった。また、扉ストッパ装置の取り付け位置が電気機器収納用箱体の下端になるため、扉ストッパ装置の係止を解除するにはしゃがんで手で操作したり、足先で操作する必要があり、操作性が悪いという欠点があった。
【課題を解決するための手段】
【０００５】
本発明は、前面に開口部を有する箱体本体と、箱体本体の開口部を施蓋する扉体と、箱体本体の開口部の片端側に設けた箱体側蝶番と、箱体側蝶番と対向する扉体の片端側に設けた扉体側蝶番と、箱体側蝶番の蝶番ピン挿通孔と扉体側蝶番の蝶番ピン挿通孔とに挿通して設けられる蝶番ピンとを有し、箱体本体に開閉自在に設けられた扉体を開放状態に保持する電気機器収納用箱体の扉ストッパ装置において、蝶番ピンに設けられて扉体に連動して回動し、箱体側蝶番の連結板部に係止する係止溝を形成したストッパと、ストッパを係止方向に付勢する弾性体とで成り、扉体を所定角度開放した位置で弾性体の付勢力によりストッパの係止溝が箱体側蝶番の連結板部に係止して扉体を開放状態に保持することを特徴とする。
【発明の効果】
【０００６】
本発明によれば、少ない部品で構成されるので低コストで製作することができ、既設の電気機器収納用箱体でも容易に取り付けることができる。また、作業のしやすい高さの蝶番に扉ストッパ装置を取り付けることができるので扉体係止の解除操作性が良いという効果がある。
【発明を実施するための最良の形態】
【０００７】
扉ストッパ装置は、蝶番ピンに設けられて扉体に連動して回動し、箱体側蝶番の連結板部に係止する係止溝を形成したストッパと、ストッパを係止方向に付勢してストッパを連結板部に押圧するコイルバネとで成り、扉体を所定角度開放するとコイルバネの付勢力によりストッパの係止溝が連結板部に係止して扉体を開放状態に保持する。
【実施例１】
【０００８】
本発明に係る電気機器収納用箱体の扉ストッパ装置の実施例１を図１〜図７の添付図面に基づいて説明する。
【０００９】
電気機器収納用箱体１は、前面に開口部２ａを有する箱体本体２と、箱体本体２の開口部を施蓋する扉体３と、箱体本体２に扉体３を開閉自在に蝶着する蝶番４と、蝶番４に設けられて扉体３を開放状態に保持する扉ストッパ装置５とを備えている。
【００１０】
蝶番４は、箱体本体２の開口部２ａの端縁に連結板部４１ａを介し、上下に間隔を有して設けられた一対の箱体側蝶番４１と、箱体側蝶番４１と対向する扉体３の端縁に設けられた扉体側蝶番４２と、箱体側蝶番４１の蝶番ピン挿通孔４１ｂと扉体側蝶番４２の蝶番ピン挿通孔４２ｂとに挿通して設けられる蝶番ピン４３と、蝶番ピン４３の抜け止めのために先端に設けられるＥリング４４とで構成している。
【００１１】
箱体本体２は開口部２ａの全周が内側方向に折曲された上、更に断面略コ字状に外側方向に折曲形成されて箱体本体２内に雨水の浸入を防止する水切り部２ｂが形成され、扉体３は前面板部３ａの全周が折曲形成されて箱体本体２の水切り部２ｂを覆うように折曲部３ｂが形成されている。箱体側蝶番４１は箱体本体２の水切り部２ｂの端縁に溶接され、扉体側蝶番４２は扉体３の前面板部３ａと折曲部３ｂの両内側面に当接させて溶接され、蝶番４は箱体本体２の開口部２ａの上端部、下端部、中間部の３箇所に設けられて扉体３を開閉自在に支持している。
【００１２】
扉ストッパ装置５は、蝶番ピン４３の先端に設けられて扉体３に連動して回動し、箱体側蝶番４１の連結板部４１ａに係止する係止溝５１ｄを形成したストッパ５１と、蝶番ピン４３の基端に設けられてストッパ５１を係止方向に付勢し、ストッパ５１を連結板部４１ａに押圧する弾性体としてのコイルバネ５２とで構成している。
【００１３】
ストッパ５１は蝶番ピン４３が挿通する挿通孔５１ｂを形成した取付部５１ａの上端縁に略円弧状の突片５１ｃが立設され、突片５１ｃは上端に係止溝５１ｄと、連結板部４１ａを案内する傾斜部５１ｅが形成されている。また、取付部５１ａは扉体３の前面板部３ａと折曲部３ｂの両内側面に当接してストッパ５１の空転を防止する回り止め部５１ｆが形成されている。
【００１４】
このように形成された扉ストッパ装置５を蝶番４に組み付けるには、箱体側蝶番４１の蝶番ピン挿通孔４１ｂと扉体側蝶番４２の蝶番ピン挿通孔４２ｂとが一致するように位置を合わせ、蝶番ピン４３をコイルバネ５２に挿通させて箱体側蝶番４１の蝶番ピン挿通孔４１ｂ、扉体側蝶番４２の蝶番ピン挿通孔４２ｂ、箱体側蝶番４１の蝶番ピン挿通孔４１ｂと順に挿通させる。そして、ストッパ５１を回り止め部５１ｆが扉体３の前面板部３ａと折曲部３ｂの両内側面に接するようにしてストッパ５１の挿通孔５１ｂに蝶番ピン４３を挿通させて取り付け、蝶番ピン４３の先端の溝４３ａにＥリング４４を嵌合させて抜け止めすることで扉ストッパ装置５は組み付けられる。
【００１５】
扉ストッパ装置５が組み付けられた電気機器収納用箱体１は、扉体３が閉塞した状態から開放するだけで所定角度の位置で扉ストッパ装置５が扉体３をロックして保持する。詳しくは扉体３が閉塞した状態ではストッパ５１の取付部５１ａがコイルバネ５２の付勢力によって箱体側蝶番４１の下端に押し付けられている。ここで扉体３を開放操作するとストッパ５１の回り止め部５１ｆが扉体３の折曲部３ｂの内側面に当接して扉体３の回動にストッパ５１が連動し、箱体側蝶番４１の連結板部４１ａにストッパ５１の傾斜部５１ｅが当接する。そこで更に扉体３を開放させるとコイルバネ５２が圧縮されて連結板部４１ａにストッパ５１の傾斜部５１ｅが乗り上げ、更に扉体３を開放させて扉体３が箱体本体２に対して９０度程度開いた際に連結板部４１ａにストッパ５１の係止溝５１ｄが嵌まることにより扉体３は開放状態で保持される。
【００１６】
また、扉ストッパ装置５による扉体３の保持を解除するには蝶番ピン４３の基端を指で押して少し扉体３を閉塞することで行う。蝶番ピン４３を押し下げることでストッパ５１の係止溝５１ｄが箱体側蝶番４１の連結板部４１ａから離脱し、蝶番ピン４３を押し下げたまま少し扉体３を閉塞することでストッパ５１の回り止め部５１ｆが扉体３の前面板部３ａの内側面に当接して扉体３の回動にストッパ５１が連動し、ストッパ５１の係止溝５１ｄが箱体側蝶番４１の連結板部４１ａと位置がずれるので係止が解除される。こうして、扉ストッパ装置５による保持を解除した後、扉体３を閉塞することができる。
【００１７】
尚、扉ストッパ装置５は箱体本体２の開口部２ａの上端部、下端部、中間部に設けられた蝶番４のうち、中間部に設けられた蝶番４に組み付けることにより、扉ストッパ装置５による扉体３のロックを解除する際にしゃがんだりする必要がなく、操作性が良好となる。また、扉ストッパ装置５は少ない部品点数で構成されるので低コストで製作でき、蝶番４に組み付ける構造なので既設の電気機器収納用箱体１に容易に組み付けることもできる。
【００１８】
また、本実施例において、扉体３を９０度程度開いた際にストッパ５１の係止溝５１ｄが連結板部４１ａに係止して開放状態を保持するように形成したが、係止溝５１ｄの形成位置を変更することにより扉体３の開放保持角度を変更することができ、係止溝５１ｄを複数形成して開放保持角度を選択できるようにしても良い。また、ストッパ５１は円盤状の取付部５１ａの挿通孔５１ｂに蝶番ピン４３を挿通させて取り付ける形状に形成したが、図８〜図１０に示すように蝶番ピン４３の先端に切り込み４３ｂを形成し、ストッパ５１の取付部５１ａは蝶番ピン４３の切り込み４３ｂに差し込むように板状にして上部に水平方向への脱落防止切欠５１ｇを形成し、蝶番ピン４３の切り込み４３ｂにストッパ５１の取付部５１ａを差し込んで取り付ける形状にするなど、ストッパ５１及び蝶番ピン４３の形状を変更して実施しても問題なく、また、蝶番ピン４３の先端にＥリング４４を取り付けて抜け止めを行ったが、蝶番ピン４３の溝４３ａにストッパ５１を係合させるなどしてストッパ５１を蝶番ピン４３から簡単に外れないように組み付けることでＥリング４４の代わりにすることができ、Ｅリング４４を省略して部品点数を削減することが可能である。また、蝶番ピン４３の基端にストッパ５１を係止方向に付勢する弾性体としてコイルバネ５２を設けたが、コイルバネ５２に限定するものではなく、例えばゴムや板バネ、樹脂部品などで形成し、弾性を有してストッパ５１を係止方向に付勢する役割を果たせば良く、取り付け位置についても弾性体がストッパ５１を係止方向に付勢できれば良いので蝶番ピン先端側のストッパ５１とＥリング４４の間であっても良い。
【図面の簡単な説明】
【００１９】
【図１】本発明に係る電気機器収納用箱体を示す斜視図である。
【図２】電気機器収納用箱体の蝶番部分及び扉ストッパ装置を示す分解斜視図である。
【図３】ストッパを示す斜視図である。
【図４】蝶番に扉ストッパ装置を組み付けて扉体を開放した状態を示す斜視図である。
【図５】扉体を閉塞した状態を示し、（ａ）は蝶番部分の横断面図、（ｂ）は（ａ）を連結板部で破断して蝶番を見た縦断面図である。
【図６】扉を半分ほど開放して連結板部にストッパの突片が乗り上げた状態を示し、（ａ）は蝶番部分の横断面図、（ｂ）は（ａ）を連結板部で破断して蝶番を見た縦断面図である。
【図７】扉を開放して連結板部にストッパの係止溝が係止した状態を示し、（ａ）は蝶番部分の横断面図、（ｂ）は（ａ）を連結板部で破断して蝶番を見た縦断面図である。
【図８】電気機器収納用箱体の蝶番部分及び扉ストッパ装置の変形実施例を示す分解斜視図である。
【図９】ストッパの変形実施例を示す斜視図である。
【図１０】図８の扉ストッパ装置を蝶番に組み付けて扉体を開放した状態を示す斜視図である。
【符号の説明】
【００２０】
１    電気機器収納用箱体
２    箱体本体
２ａ    開口部
３    扉体
４    蝶番
４１    箱体側蝶番
４１ａ    連結板部
４２    扉体側蝶番
４３    蝶番ピン
５    扉ストッパ装置
５１    ストッパ
５１ａ    取付部
５１ｂ    挿通孔
５１ｃ    突片
５１ｄ    係止溝
５１ｅ    傾斜部
５１ｆ    回り止め部
５２    コイルバネ
【図１】
2009275360.tif 000003
【図２】
2009275360.tif 000004
【図３】
2009275360.tif 000005
【図４】
2009275360.tif 000006
【図５】
2009275360.tif 000007
【図６】
2009275360.tif 000008
【図７】
2009275360.tif 000009
【図８】
2009275360.tif 000010
【図９】
2009275360.tif 000011
【図１０】
2009275360.tif 000012